【手続補正書】
【提出日】平成15年9月12日(2003.9.12)
【手続補正１】
【補正対象書類名】明細書
【補正対象項目名】全文
【補正方法】変更
【補正の内容】
【発明の名称】配送伝票
【特許請求の範囲】
【請求項１】伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、保証書ラベル部を分離可能に区画形成したことを特徴とする配送伝票。
【請求項２】伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、前記伝票基材から前記剥離紙面に達するスリットで保証書ラベル部を分離可能に区画形成し、前記スリットの外側に対応位置してミシン目状の切り込みを前記伝票基材から前記剥離紙面に達するよう設け、このミシン目状の切り込みを破断するように前記伝票基材を捲り上げると、前記保証書ラベル部を前記剥離紙の一部とともに分離可能なように、前記剥離紙から少なくとも前記補助基材面に達するスリットを設けたことを特徴とする配送伝票。
【請求項３】伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、前記伝票基材から前記剥離紙面に達するスリットで保証書ラベル部を分離可能に区画形成し、前記スリットの外側に対応位置して第２のスリットを前記伝票基材から前記剥離紙面に達するよう設け、この第２のスリットに沿って前記伝票基材を捲り上げると、前記保証書ラベル部を前記剥離紙上に残して、前記保証書ラベル部と前記第２のスリットに囲まれた部分の前記伝票基材と前記補助基材とが前記剥離紙から剥離するように、前記第２のスリットの外側に対応位置して前記剥離紙に前記補助基材面に達する第３のスリットを設けたことを特徴とする配送伝票。
【発明の詳細な説明】
【０００１】
【発明の属する技術分野】
本発明は、伝票基材の裏面に補助基材を剥離可能に接着し、前記補助基材の裏面に粘着剤を塗布するとともに剥離紙で被覆してなる、貼付票と受領証兼配達票を有する配送伝票に関し、特に、保証書を収納した梱包材に貼付して使用するのに適した配送伝票に関する。
【０００２】
【従来の技術】
従来の保証書を収納した梱包材に貼付して使用する配送伝票は、保証書との関連はなんら考慮されておらず、配送作業に必要な貼付票などの伝票を備えているに過ぎない。
【０００３】
【発明が解決しようとする課題】
したがって、従来においては、梱包材から保証書を取り出して、販売店名、販売日などの必要事項を記入したうえ、再度、保証書を梱包材内に収納している。このため、保証書の取り扱いが煩雑で、作業効率が劣るという不都合があった。本発明は、この不都合を解消した配送伝票を提供することを目的とする。
【０００４】
【課題を解決するための手段】
この目的を達成するために、本発明の請求項１に記載した配送伝票は、伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、保証書ラベル部を分離可能に区画形成したものである。
【０００５】
また、同じく上述の目的を達成するために、本発明の請求項２に記載した配送伝票は、伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、前記伝票基材から前記剥離紙面に達するスリットで保証書ラベル部を分離可能に区画形成し、前記スリットの外側に対応位置してミシン目状の切り込みを前記伝票基材から前記剥離紙面に達するよう設け、このミシン目状の切り込みを破断するように前記伝票基材を捲り上げると、前記保証書ラベル部を前記剥離紙の一部とともに分離可能なように、前記剥離紙から少なくとも前記補助基材面に達するスリットを設けたものである。
【０００６】
さらに、同じく上述の目的を達成するために、本発明の請求項３に記載した配送伝票は、伝票基材の裏面に補助基材を剥離可能に接着し、前記補助基材の裏面に粘着剤を塗布するとともに剥離紙で被覆してなる、貼付票と受領証兼配達票を有する配送伝票であって、配送伝票の適所に、前記伝票基材から前記剥離紙面に達するスリットで保証書ラベル部を分離可能に区画形成し、前記スリットの外側に対応位置して第２のスリットを前記伝票基材から前記剥離紙面に達するよう設け、この第２のスリットに沿って前記伝票基材を捲り上げると、前記保証書ラベル部を前記剥離紙上に残して、前記保証書ラベル部と前記第２のスリットに囲まれた部分の前記伝票基材と前記補助基材とが前記剥離紙から剥離するように、前記第２のスリットの外側に対応位置して前記剥離紙に前記補助基材面に達する第３のスリットを設けたものである。
【０００７】
【発明の実施の形態】
以下、添付図面に基いて本発明の好適な実施形態を説明する。ここにおいて、図１〜図７は第１の実施形態を示し、図１は配送伝票の平面図、図２はその背面図、図３は図１のＡ−Ａ線断面図、図４は同じく図１のＢ−Ｂ線断面図、図５は配送伝票を梱包材に接着した状態を示す断面図、図６は保証書ラベル部の剥離状態を示す斜視図、図７は保証書に保証書ラベル部を貼着した状態を示す平面図である。また、図８〜図１４は第２の実施形態を示し、図８は配送伝票の平面図、図９はその背面図、図１０は図８のＣ−Ｃ線断面図、図１１は同じく図８のＤ−Ｄ線断面図、図１２は配送伝票を梱包材に接着した状態を示す断面図、図１３は保証書ラベル部の剥離状態を示す斜視図、図１４は保証書に保証書ラベル部を貼着した状態を示す平面図である。
【０００８】
まず、第１の実施形態を説明する。図１〜図４に示すように、配送伝票１は、伝票基材２の裏面に剥離可能な感圧性接着剤３により補助基材４を互いに剥離可能に設け、さらにこの補助基材４の裏面に、粘着剤５を塗布して、これを剥離紙６で被覆している。前記配送伝票１は、伝票基材２にスリット７を設けて、受領証兼配達票８と貼付票９とを区画形成している。また、前記貼付票９の下端に連接して、区画線１０で区画した保証書シール１１を設けている。
【０００９】
図１に示すように、受領証兼配達票８の表面には、「配達票」なる標題１２のほか、届け先記入欄１３、依頼主記入欄１４、品名記入欄１５、着店コード記入欄１６、個口数記入欄１７、受領印捺印欄１８を設けている。また、貼付票９の表面には、「貼付票」なる標題１９のほか、届け先記入欄２０、依頼主記入欄２１、受付年月日記入欄２２、個口数記入欄２３、取り扱い会社表示２４を設けている。
【００１０】
さらに、図１、図３及び図４に示すように、保証書シール１１には、その表面に「保証書シール」という標題２５を設け、伝票基材２と補助基材４を貫通して剥離紙６面にまで達するスリット２６で保証書ラベル部２７を分離可能に区画形成している。この保証書ラベル部２７の表面には、商品販売会社名２８をあらかじめ印刷する一方、空白部分には追って保証書発行日、すなわち商品販売日を印字するものである。
【００１１】
そして、スリット２６の外側に対応位置して、配送伝票１の一端から延びるコ字状で、カット部が長くタイ部が短いミシン目状の切り込み２９を、前記伝票基材２から前記剥離紙６面に達するよう設けている。この切り込み２９と前記スリット２６に挟まれた部分で、ラベル周辺剥離部３０を形成する。なお、図示していないが、保証書シール１１には、表面の適所に、前記保証書ラベル部２７の使用方法を説明する説明文を印刷してある。
【００１２】
また、図２〜図４に示すように、剥離紙６には、保証書ラベル部２７を含むように、一端側を除いて切り込み２９に対応位置するスリット３１を設け、ラベル周辺剥離部３０にその一端側を除いて対応するラベル保護部６ａを形成している。伝票基材２と補助基材４との重ね合わせ面における、前記ラベル保護部６ａと前記ラベル周辺剥離部３０との対応しない部分、すなわち、図４における右側のスリット３１よりも右側の部分には、図示してはいないがベタ印刷を施して、剥離可能な感圧性接着剤３の接着力をさらに弱めている。したがって、このベタ印刷端から、切り込み２９を破断するように前記伝票基材２を補助基材４から捲り上げると、保証書ラベル部２６を前記ラベル周辺剥離部３０、前記ラベル保護部６ａとともに分離可能である。
【００１３】
続いて、上述した配送伝票１の使用方法を説明する。まず、受領証兼配達票８と貼付票９の各記入欄１３，１４，１５，１６，１７，２０，２１，２２，２３にそれぞれ所定事項を印字するとともに、保証書ラベル部２７の空白部分には保証書発行日を印字する（図６，図７参照）。次に、剥離紙６をラベル保護部６ａを除いて補助基材４から剥離し、図５に示すように、露出した粘着剤５で配送品（図示せず）と保証書３３（図７参照）を収納した梱包材３２の適所に貼着する（図６参照）。
【００１４】
この後、通常の配送作業に移るのであるが、受領証兼配達票８は配送作業の途上において、補助基材４から剥離して使用する。届け先記入欄１３，２０に印字記入された届け先に配送品を配達する際には、前記受領証兼配達票８の受領印捺印欄１８に受領印の捺印を受ける。一方、届け先では、図６に示すように、梱包材３２に貼着した保証書シール１１から、切り込み２９を破断するようにして、配送伝票１の一端側からラベル周辺剥離部３０に対応する伝票基材２を捲り上げ、保証書ラベル部２７を前記ラベル周辺剥離部３０とともに分離する。
【００１５】
この時、ラベル周辺剥離部３０の剥離開始端にはベタ印刷により接着力弱化部分を設けているので、伝票基材２は補助基材４から容易に剥離し、剥離部分がスリット３１に至ると、ラベル周辺剥離部３０は保証書ラベル部２７とともに、裏面側にラベル保護部６ａをともなって、保証書シール１１から分離するものである。
【００１６】
そして、この分離したラベル周辺剥離部３０からさらに、保証書ラベル部２７をスリット２６に沿って捲り上げて、ラベル保護部６ａから剥離し、図７に示すように、梱包材３２内に収納されていた保証書３３の販売店名欄３４に、露出した裏面の粘着剤５によって貼着し、適正な保証書３３としたうえ、この保証書３３を保管するものである。
【００１７】
次に、本発明の第２の実施形態を添付図面の図８〜図１４に基づいて説明するが、本実施形態が上述した第１の実施形態と相違するのは、保証書ラベル部に関連する構成とその作用であるから、相違点についてだけ説明し、他の構成及び作用については、第１の実施形態における対応する構成要素と同一符号を付するに止め、詳細な説明は省略する。
【００１８】
図８、図１０及び図１１に示すように、保証書シール５１には、その表面に「保証書シール」という標題５２を設け、伝票基材２と補助基材４を貫通して剥離紙６面にまで達するスリット５３で保証書ラベル部５４を分離可能に区画形成している。そして、前記スリット５３の外側に対応位置して、配送伝票６１の一端から延びるコ字状の第２のスリット５５を、前記伝票基材２から前記剥離紙６面に達するよう設けている。これら各スリット５３，５５に挟まれた部分で、ラベル周辺剥離部５６を形成する。
【００１９】
また、図９〜図１１に示すように、剥離紙６には、保証書ラベル部５４を含むように、スリット５５より外側に対応位置してスリット５７を設け、一端側を除いてラベル周辺剥離部５６より一回り大きなラベル保護部６ａを形成している。伝票基材２と補助基材４との重ね合わせ面における、前記ラベル保護部６ａと前記ラベル周辺剥離部５６との対応しない部分には、第１の実施形態と同様に、図示してはいないがベタ印刷を施して、剥離可能な感圧性接着剤３の接着力をさらに弱めている。したがって、このベタ印刷端から、スリット５５に沿って前記伝票基材２を捲り上げると、保証書ラベル部５４を前記ラベル保護部６ａ上に残した状態で、前記ラベル周辺剥離部５６のみを前記ラベル保護部６ａから剥離可能である。
【００２０】
続いて、上述した配送伝票６１における保証書ラベル部５４の使用方法を説明する。まず、所定の印字を行った後、剥離紙６をラベル保護部６ａを除いて補助基材４から剥離し、図１２に示すように、露出した粘着剤５で配送品（図示せず）と保証書３３（図１４参照）を収納した梱包材３２の適所に貼着する（図１３参照）。
【００２１】
この後、第１の実施形態と同様の通常の配送作業に移り、届け先では、図１３に示すように、梱包材３２に貼着した保証書シール５１から、スリット５５に沿って、配送伝票６１の一端側の伝票基材２を補助基材４から捲り上げ、保証書ラベル部５４を残して、ラベル周辺剥離部５６を剥離する。
【００２２】
この時、ラベル周辺剥離部５６の剥離開始端にはベタ印刷により接着力弱化部分を設けているので、伝票基材２は補助基材４から容易に剥離し、剥離部分がスリット５７に至ると、ラベル周辺剥離部５６のみが剥離紙６から剥離し、保証書ラベル部５４をラベル保護部６ａ上に残した状態で、前記ラベル周辺剥離部５６が保証書シール５１から分離するものである。
【００２３】
そして、残った保証書ラベル部５４を捲り上げて、ラベル保護部６ａから剥離し、図１４に示すように、梱包材３２内に収納されていた保証書３３の販売店名欄３４に、露出した裏面の粘着剤５によって貼着し、適正な保証書３３としたうえ、この保証書３３を保管するものである。
【００２４】
なお、本発明は上述した実施形態に限定されるものではなく、例えば、保証書ラベル部２７，５４に対応する伝票基材２と補助基材４は、剥離可能な感圧性接着剤３でなく、剥離困難な感圧性接着剤を用いて接着してもよい。また、ラベル周辺剥離部３０，５６は、配送伝票１，６１の一側端からコ字状に延びる切り込み２９あるいはスリット５５によって形成したが、これを配送伝票１，６１の一側端から距離をおいた位置で、四角形状に延びるスリットで形成してもよい。
【００２５】
【発明の効果】
以上説明したように、本願発明の請求項１に記載した配送伝票によれば、保証書を作成するために、配送作業の前段階あるいはその途上において、梱包材内に収納してある保証書を、取り出したり、再度収納するという、煩雑な作業をすることがなく、簡便であるとともに、作業効率も向上するという効果を奏する。
【００２６】
また、本願発明の請求項２及び請求項３に記載した配送伝票によれば、上述した効果に加えて、保証書ラベル部の分離動作が容易であるという効果を奏する。
【図面の簡単な説明】
【図１】第１の実施形態の配送伝票を示す平面図。
【図２】同じく配送伝票の背面図。
【図３】同じく図１のＡ−Ａ線断面図。
【図４】同じく図１のＢ−Ｂ線断面図。
【図５】同じく配送伝票を梱包材に接着した状態を示す断面図。
【図６】同じく保証書ラベル部の剥離状態を示す斜視図。
【図７】同じく保証書に保証書ラベル部を貼着した状態を示す斜視図。
【図８】第２の実施形態の配送伝票を示す平面図。
【図９】同じく配送伝票の背面図。
【図１０】同じく図８のＣ−Ｃ線断面図。
【図１１】同じく図８のＤ−Ｄ線断面図。
【図１２】同じく配送伝票を梱包材に接着した状態を示す断面図。
【図１３】同じく保証書ラベル部の剥離状態を示す斜視図。
【図１４】同じく保証書に保証書ラベル部を貼着した状態を示す斜視図。
【符号の説明】
１，６１      配送伝票
２      伝票基材
３      剥離可能な感圧性接着剤
４      補助基材
５      粘着剤
６      剥離紙
８      受領証兼配達票
９      貼付票
１１，５１      保証書シール
２６，５３      スリット
２７，５４      保証書ラベル部
２９      切り込み
３０，５６      ラベル周辺剥離部
３１，５５，５７      スリット
３３      保証書